(57)【要約】【課題】    妨害信号検出のための帯域通過フィルタを特別に備えることなく、効率よく信号を取得できる条件を適宜設定して、放送チャネルを受信することができる受信装置を提供する。【解決手段】  受信装置は、指定チャネルの受信を指令された場合に、制御部が低域隣接局のチャネルの受信を指令し（Ｓ２２）、低域隣接局有りと判定した場合には、狭帯域フィルタを選択を指令する（Ｓ２７）。また、低域隣接局無しと判定した場合には、更に高域隣接局のチャネルの受信を指令し（Ｓ２４）、ここで、高域隣接局有りと判定された場合には、狭帯域フィルタを選択を指令する（Ｓ２７）。高域隣接局も無しと判定された場合には、広帯域フィルタの選択を指令する（Ｓ２６）。したがって、妨害信号検出のための帯域通過フィルタを特別に備えることなく、効率よく放送チャネルを受信することができる。【選択図】  図２
2006303795.tif 000002
【特許請求の範囲】
【請求項１】
受信すべき放送チャネルに隣接する放送チャネルの受信を指令する隣接チャネル受信指令手段と；
前記隣接する放送チャネルの信号を検出する信号検出手段と；
前記信号検出手段の出力に基づいて、前記受信すべき放送チャネルの信号を受信するための条件設定を行う受信チャネル条件設定手段と；を備えることを特徴とする受信装置。
【請求項２】
前記受信すべき放送チャネルの信号を通過させるフィルタであって、通過させる帯域幅を変更することができる帯域幅可変フィルタ手段を更に備え、
前記受信チャネル条件設定手段は、前記帯域幅可変フィルタ手段の帯域幅を設定する、ことを特徴とする請求項１に記載の受信装置。
【請求項３】
前記受信チャネル条件設定手段は、前記受信すべき放送チャネルの受信のために指令する同調周波数を設定する、ことを特徴とする請求項１又は２に記載の受信装置。
【請求項４】
受信すべき放送チャネルに隣接する放送チャネルの受信を指令する隣接チャネル受信指令工程と；
前記隣接チャネル受信指令工程により受信した放送チャネルの信号を検出する信号検出工程と；
前記信号検出工程における検出結果に基づいて、前記受信すべき放送チャネルの信号を受信するための条件設定を行う受信チャネル条件設定工程と；
前記受信チャネル条件設定工程により設定された前記受信すべき放送チャネルの受信を指令する受信チャネル受信指令工程と；を備えることを特徴とする受信方法。
【請求項５】
前記隣接チャネル受信工程に先立って、前記受信すべき放送チャネルが指定される受信チャネル指定工程を更に備える、ことを特徴とする請求項４に記載の受信方法。
【請求項６】
前記受信すべき放送チャネルは受信中の放送チャネルである、ことを特徴とする請求項４に記載の受信方法。
【請求項７】
前記条件設定の１つは、前記受信すべき放送チャネルの信号を通過させるフィルタの帯域幅の設定である、ことを特徴とする請求項４〜６のいずれか１項に記載の受信方法。
【請求項８】
前記条件設定の１つは、前記受信すべき放送チャネルの受信のために指令する同調周波数の設定である、ことを特徴とする請求項４〜７のいずれか１項に記載の受信方法。
【請求項９】
受信装置の処理装置に実行させるための受信制御プログラムであって、
受信すべき放送チャネルに隣接する放送チャネルの受信を指令する隣接チャネル受信指令手順と；
前記隣接する放送チャネルの信号を検出する信号検出手順と；
前記信号検出手順の結果に基づいて、前記受信すべき放送チャネルの信号を受信するための条件設定を行う受信チャネル条件設定手順と；
前記受信チャネル条件設定手順により前記条件設定された前記受信すべき放送チャネルの受信を指令する受信チャネル受信指令手順と；を処理装置に実行させるための受信制御プログラム。
【発明の詳細な説明】
【技術分野】
【０００１】
本発明は、受信装置、受信方法及び受信制御プログラムに係り、より詳しくは隣接妨害信号を除去する受信装置、受信方法及び受信制御プログラムに関する。
【背景技術】
【０００２】
近年、放送局の増加により、ある放送チャネルに隣接するチャネルが、別の放送局により使用されている場合が多くなっている。このような状況下においては、別の放送局のチャネルの電波が、受信するチャネルの電波に干渉したりすることにより、良好な受信が妨げられる、いわゆる隣接妨害の問題が発生することがある。
【０００３】
このような問題に対応するために、従来の受信装置においては、例えば、図８に示すようなラジオ放送波の受信装置であるラジオ受信機１０を用いることにより、隣接妨害波を除去することとしていた。以下に受信装置１０における隣接妨害波を考慮した受信方法について説明する。
【０００４】
図８に示されるように、アンテナ１１により受信された電波は、高周波増幅部１２により増幅され、ミキサ部１３に入力される。ミキサ部１３では、不図示の局部発振回路から入力される局部発振信号と混合されて、中間周波信号に変換される。変換された中間周波信号は、信号ａ１として、受信するチャネルの信号を通過させる中間周波フィルタ部１４に入力されるとともに、信号ｄ１として、隣接妨害波を検出するための帯域通過フィルタを別途備える隣接妨害検出回路１７に入力される。
【０００５】
隣接妨害検出回路１７では、図９に示されるように、信号ｄ１は、先ず高い周波数側の隣接チャネルを検出する高域側隣接妨害検出フィルタ１７１及び低い周波数側の隣接チャネル妨害検出フィルタ１７２に入力され、これらのフィルタにより隣接妨害波が抽出される。その後、抽出された信号の和がレベル検波回路１７３に入力され、信号レベルが検波される。検波後の出力は、フィルタ切替制御回路１７４に入力され、フィルタ切替制御回路１７４では、その入力が所定レベル以上である場合には中間周波フィルタ１４のうち狭い帯域幅のフィルタを選択させるためのアクティブ信号が出力され、それ以外の場合にはネガティブ信号が出力される。フィルタ切替制御回路１７４からの出力は信号ｃ１として出力され、図１０の中間周波フィルタ部１４に信号ｃとして入力される。中間周波フィルタ部１４において、信号ｃがアクティブ信号である場合には、フィルタ切替回路５３は、狭帯域フィルタ５２が使用されるように切替え、ネガティブ信号の場合には広帯域フィルタ５１が使用されるように切替える。
【０００６】
一方、図８の信号ａ１の中間周波信号は、図１０の中間周波フィルタ部１４において信号ａとして入力される。入力された信号は、フィルタ切替制御回路１７４により設定された広帯域フィルタ５１又は狭帯域フィルタ５２により、隣接妨害波が除去され、信号ｂに出力される。図８に戻り、信号ｂに接続された信号ｂ１は中間周波増幅部１５に入力され、増幅される。増幅された中間周波信号は、音声復調部１６において検波され、音声信号を出力する。このように、隣接妨害となる電波を検出するための帯域通過フィルタを別途備えることにより、隣接妨害波を検出し、隣接妨害波が検出された際には、受信するチャネルの周波数帯域を通過させるフィルタの帯域幅を狭くしたりすることにより、隣接妨害波を除去することとしていた。
【０００７】
【特許文献１】実開平６−００５２２７号公報
【発明の開示】
【発明が解決しようとする課題】
【０００８】
上述した従来の技術は、隣接妨害波を除去するために有効な方法であり、実用化され用いられている。しかし、この技術では、隣接妨害波を検出するために、信号取得用の帯域通過フィルタとは別途に、専用の帯域通過フィルタを設けなければならず、受信装置の構成部品を増加させることになっている。
【０００９】
本発明は、上記の事情を鑑みてなされたものであり、妨害信号検出のための帯域通過フィルタを特別に備えることなく、効率よく信号を取得できる条件を適宜設定して、放送チャネルを受信することができる受信装置、受信方法及び受信制御プログラムを提供することを目的とする。
【課題を解決するための手段】
【００１０】
本発明の受信装置は、受信すべき放送チャネルに隣接する放送チャネルの受信を指令する隣接チャネル受信指令手段と；前記隣接する放送チャネルの信号を検出する信号検出手段と；前記信号検出手段の出力に基づいて、前記受信すべき放送チャネルの信号を受信するための条件設定を行う受信チャネル条件設定手段と；を備えることを特徴とする受信装置である。
【００１１】
ここで、「受信すべき放送チャネル」とは、例えば、受信装置の利用者の指令により指定され、未だ受信を開始していない放送チャネルだけでなく、既に受信中の放送チャネルの意味も含むものであり、「受信を指令」とは、例えば、局部発振回路を使用する場合には、局部発振回路により発せられる同調周波数の発振を指令することを意味する。また、「隣接する放送チャネル」には、受信すべき放送チャネルから１チャネル異なるチャネルだけでなく、２チャネル以上異なる放送チャネルが含まれていてもよい。また、信号検出手段における「検出」の仕方は、例えば、信号レベルについて検出する装置である場合には、信号レベルが所定の値以上である場合に有無を検出するような装置であってもよいし、その信号レベルの値を測定することができる装置であってもよい。また、受信チャネル条件設定手段における「条件設定」とは、信号を通過させるためのフィルタの帯域幅、受信チャネルの同調周波数のシフト、信号を増幅するためのゲインその他の条件設定を含むものとする。
【００１２】
したがって、この受信装置によれば、妨害信号検出のための帯域通過フィルタを特別に備えることなく、効率よく信号を取得できる条件を適宜設定して、放送チャネルを受信することができる。
【００１３】
また、本発明の受信装置では、前記受信すべき放送チャネルの信号を通過させるフィルタであって、通過させる帯域幅を変更することができる帯域幅可変フィルタ手段を更に備え、前記受信チャネル条件設定手段は、前記帯域幅可変フィルタ手段の帯域幅を設定する、とすることができる。
【００１４】
ここで「帯域幅可変フィルタ手段」は、信号が通過する帯域幅を変化させることができる、ひとつのフィルタにより構成されているものでもよいし、信号が通過する帯域幅が異なる複数のフィルタにより構成されているものでもよい。この受信装置によれば、受信装置のフィルタの帯域幅を変更することにより、受信すべき放送チャネルを効率よく受信させることができる。
【００１５】
また、本発明の受信装置では、前記受信チャネル条件設定手段は、前記受信すべき放送チャネルの受信のために指令する同調周波数を設定する、とすることができる。ここで、「同調周波数」は、例えば局部発振回路を備える受信装置では、その局部発振回路により発せられる受信するための同調周波数を意味している。また、「同調周波数を設定」とは、受信すべき放送チャネルを効率よく受信するために、受信すべき放送チャネルを受信するための通常の同調周波数又は通常の同調周波数からシフトさせた同調周波数を設定することである。この受信装置によれば、妨害電波等がより少ない側へシフトさせて同調周波数を設定することにより、受信すべき放送チャネルの信号を効率よく受信することができる。
【００１６】
本発明の受信方法は、受信すべき放送チャネルに隣接する放送チャネルの受信を指令する隣接チャネル受信指令工程と；前記隣接チャネル受信指令工程により受信した放送チャネルの信号を検出する信号検出工程と；前記信号検出工程における結果に基づいて、前記受信すべき放送チャネルの信号を受信するための条件設定を行う受信チャネル条件設定工程と；前記受信チャネル条件設定工程により設定された前記受信すべき放送チャネルの受信を指令する受信チャネル受信指令工程と；を備えることを特徴とする受信方法である。
【００１７】
また、この受信方法では、前記隣接チャネル受信指令工程に先立って、前記受信すべき放送チャネルが指定される受信チャネル指定工程を更に備える、とすることもできるし、前記受信すべき放送チャネルは受信中の放送チャネルである、とすることもできる。したがって、受信装置の利用者からチャネルを指定して受信を指令された場合には、受信を開始する際に、本発明の受信方法を使用することができるため、受信開始から効率よく信号を取得することができる。また、受信中のチャネルの場合には、定期的に本発明の受信方法を使用することにより、受信場所の移動により隣接する放送チャネルが増加した場合等の受信環境の変化にも、適宜対応することができる。
【００１８】
本発明の受信制御プログラムは、受信装置の処理装置に実行させるための受信制御プログラムであって、受信すべき放送チャネルに隣接する放送チャネルの受信を指令する隣接チャネル受信指令手順と；前記隣接する放送チャネルの信号を検出する信号検出手順と；前記信号検出手順の結果に基づいて、前記受信すべき放送チャネルの信号を受信するための条件設定を行う受信チャネル条件設定手順と；前記受信チャネル条件設定手順により前記条件設定された前記受信すべき放送チャネルの受信を指令する受信チャネル受信指令手順と；を処理装置に実行させるための受信制御プログラムである。この受信制御プログラムは、本発明の受信方法を実現するプログラムである。
【発明の効果】
【００１９】
本発明の受信装置、受信方法及び受信制御プログラムによれば、妨害信号検出のための帯域通過フィルタを特別に備えることなく、効率よく信号を取得できる条件を適宜設定して、放送チャネルを受信することができるという効果を奏する。
【発明を実施するための最良の形態】
【００２０】
以下、本発明の第１の実施形態を、図１〜図４を参照しつつ説明する。
【００２１】
図１には、本発明の第１の実施形態であるラジオ受信機２０の構成が示されている。図１に示されるように、このラジオ受信機２０は、（ａ）ラジオの放送波を受信するアンテナ２１と、（ｂ）アンテナ２１により受信した信号の高周波成分を増幅する高周波増幅部２２と、（ｃ）高周波増幅部２２から出力される信号と、後述する局部発振回路部２９から出力される同調周波数の信号とを混合し、中間周波数信号を出力するミキサ部２３と、（ｄ）ミキサ部２３から出力された中間周波数信号の周波数帯域を通過させる中間周波フィルタであって、広い帯域の信号を通過させる広帯域フィルタと、狭い帯域の信号を通過させる狭帯域フィルタの２つのフィルタを備える中間周波フィルタ部２４と、（ｅ）中間周波フィルタ部２４により、隣接妨害波を除去された中間周波数信号を増幅させる中間周波増幅部２５と、（ｆ）中間周波増幅部２５により増幅された信号を検波し、音声信号として復調する音声復調部２６と、（ｇ）中間周波増幅部２５により増幅された信号の信号レベルを検出し、所定の信号レベル以上であるか否かを出力する信号レベル検出部２７と、（ｈ）信号レベル検出部２７の出力に基づいて、中間周波フィルタ部２４で使用される中間周波フィルタを、広帯域フィルタとするか狭帯域フィルタとするかを決定し、中間周波フィルタ部２４へ指令する制御部２８と、（ｉ）ミキサ部２３に対して、同調周波数信号を出力する局部発振回路部２９と、を備えている。
【００２２】
ここで、中間周波フィルタ部２４は、従来技術で説明した図１０の中間周波フィルタ１４と同様の中間周波フィルタであり、広帯域フィルタ５１と狭帯域フィルタ５２を備え、図１の信号ａ２、ｂ２及びｃ２と、図１０の信号ａ、ｂ及びｃとがそれぞれ対応している。また、制御部２８は、信号ｃ２として、通常ネガティブ信号を出力している。
【００２３】
上述のように構成されたラジオ受信機２０の隣接妨害波を考慮した受信方法について説明する。まず、ラジオ受信機２０の利用者が、予めラジオ受信機２０に設定された放送チャネルのうち１つのチャネル（以下、「指定チャネル」という。）を受信するための操作を行うと、制御部２８に対して、指定チャネルを受信する旨が指令される。指令を受けた制御部２８は、中間周波フィルタ部２４における広帯域フィルタ及び狭帯域フィルタのいずれを使用するかを選択するためのフィルタ選択処理Ｓ２０（図２参照）を開始する。
【００２４】
このフィルタ選択処理Ｓ２０では、図２に示されるように、まず、ステップＳ２１において、音声復調部２６に対して、ミュートを指令し、スピーカから音声を出力させないように設定する。次に、ステップＳ２２において、指定チャネルの周波数帯域より低い帯域であって、指定チャネルとは１異なる隣接チャネル（以下、「低域隣接局チャネル」という。）の受信をするために、局部発振回路部２９に対して、低域隣接局チャネルを受信するための同調周波数の出力を指令する。
【００２５】
引き続き、低域隣接局チャネルの信号は、図１のアンテナ２１で受信され、高周波増幅部２２、ミキサ部２３、中間周波フィルタ部２４及び中間周波増幅部２５を介して、信号レベル検出部２７に到達する。信号レベル検出部２７は低域隣接局チャネルの信号レベルを検出し、所定の信号レベル以上であるか否かを制御部２８に通知する。図２に戻り、制御部２８は、ステップＳ２３において、信号レベル検出部２７の通知に基づいて低域隣接局の有無を判定する。ここで、低域隣接局が有ると判定された場合には、ステップＳ２７に移行し、制御部２８は、図１の中間周波フィルタ部２４に対する信号ｃ２として、狭帯域フィルタを選択するアクティブ信号を出力する。中間周波フィルタ部２４では、図１０に示されるように、アクティブ信号である信号ｃを受信すると、フィルタ切替回路５３が狭帯域フィルタ５２を使用するように切替える。
【００２６】
一方、低域隣接局が無いと判定された場合には、ステップＳ２４において、制御部２８は、局部発振回路部２９に対して、指定チャネルの周波数帯域より高い帯域であって、指定チャネルとは１異なる隣接チャネル（以下、「高域隣接局チャネル」という。）を受信するための同調周波数の出力を指令する。引き続き、低域隣接局チャネルの場合と同様に、信号レベル検出部２７は、高域隣接局チャネルの信号の信号レベルを検出し、所定の信号レベル以上であるか否かを制御部２８に通知する。制御部２８では、ステップＳ２５において、高域隣接局の有無を判定する。ここで、高域隣接局が有ると判定された場合には、ステップＳ２３と同様に、ステップＳ２７に移行し、狭帯域フィルタを選択するアクティブ信号を、中間周波フィルタ部２４に対し出力する。中間周波フィルタ部２４では、図１０に示されるように、アクティブ信号である信号ｃを受信すると、フィルタ切替回路５３が狭帯域フィルタ５２を使用するように切替える。一方、高域隣接局が無いと判定された場合には、ステップＳ２６において、広帯域フィルタを選択するネガティブ信号を、中間周波フィルタ部２４に対し出力する。中間周波フィルタ部２４では、図１０に示されるように、ネガティブ信号である信号ｃを受信しても、フィルタ切替回路５３は動作せず、そのまま広帯域フィルタ５１が使用される設定となる。  
制御部２８は、ステップＳ２６又はＳ２７でのフィルタの選択の指令を終えると、ステップＳ２８に移行し、局部発振回路部２９に対して、指定チャネルを受信するための同調周波数の出力を指令する。引き続き、ステップＳ２９において、音声復調部２６に対しミュートを解除する指令を行う。これにより、ラジオ受信機２０は、指定チャネルの受信を開始し、スピーカから音声が出力される。
【００２７】
図３には、ラジオ受信機２０における指定チャネルの受信において、隣接局がない場合の、指定チャネルの周波数付近における信号レベルを示すグラフが示されている。ここで、Ｆ０は指定チャネルの中心放送周波数を表している。斜線部分は、広帯域フィルタＢＦにおいて信号が通過できる範囲を表しており、網掛け部分は、指定チャネルスペクトルＤＣｈＳを表している。この場合には、ステップＳ２３及びＳ２５において、それぞれ低域隣接局及び高域隣接局が無いと判定されるため、ステップＳ２６において、広帯域フィルタが選択指令される。つまり、より広い範囲の周波数を通過させるフィルタが使用されるため、指定チャネルの信号をより多く受信できることを表している。
【００２８】
図４には、ラジオ受信機２０における指定チャネルの受信において、高域隣接局が存在する場合の、指定チャネルの周波数付近における信号レベルを示すグラフが示されている。ここで、ＦＣｈはチャネルの帯域幅を表しており、「Ｆ０＋ＦＣｈ」は高域隣接局の中心放送周波数を表している。斜線部分は、狭帯域フィルタＮＦにおいて信号が通過できる範囲を表しており、網掛け部分は、図３と同様に、指定チャネルスペクトルＤＣｈＳを表している。また、高域隣接局のスペクトルはＡＣｈＳ１で表されている。この場合には、ステップＳ２５において、高域隣接局が有ると判定されるため、ステップＳ２６において、狭帯域フィルタが選択指令される。つまり、高域隣接局からの隣接妨害信号を極力抑えながら、指定チャネルの信号を受信できることを表している。
【００２９】
以上説明したように、第１の実施形態のラジオ受信機２０は、指定チャネルの受信を指令された場合に、制御部２８が低域隣接局のチャネルの受信を指令し、低域隣接局有りと判定した場合には、狭帯域フィルタの選択を指令する。また、低域隣接局無しと判定した場合には、更に高域隣接局のチャネルの受信を指令し、ここで、高域隣接局有りと判定された場合には、狭帯域フィルタの選択を指令する。高域隣接局も無しと判定された場合には、広帯域フィルタの選択を指令する。
【００３０】
したがって、第１の実施形態によれば、隣接妨害波検出のための帯域通過フィルタを特別に備えることなく、効率よく信号を取得できる条件を設定して、放送チャネルを受信することができる。
【００３１】
また、第１の実施形態によれば、制御部２８は、中間周波フィルタ部２４に対して広帯域フィルタ又は狭帯域フィルタの選択を設定しているため、フィルタの帯域幅の変更による妨害信号の除去を行い、効率的な受信を実現することができる。
【００３２】
また、第１の実施形態によれば、放送チャネルの受信を指令された後で、その放送チャネルの受信開始前に、本発明の受信方法であるフィルタ選択処理Ｓ２０を使用しているため、放送チャネルの受信開始から効率よく信号を取得することができる。
【００３３】
以下、本発明の第２の実施形態を、図５〜図７を参照しつつ説明する。図５には、本発明の第２の実施形態であるラジオ受信機３０の構成が示されている。ここで、ラジオ受信機２０と同様の機能を有する構成部分については、ラジオ受信機２０と同一の符号が付されている。
【００３４】
ラジオ受信機３０は、図５に示されるように、ラジオ受信機２０と同様のアンテナ２１、高周波増幅部２２、ミキサ部２３、中間周波フィルタ部２４、中間周波増幅部２５、音声復調部２６及び局部発振回路部２９を備え、更に、（ｉ）受信した信号の信号レベルを測定して出力する信号レベル測定部３７と、（ii）信号レベル測定部３７の出力に基づいて、中間周波フィルタ部２４で使用される中間周波フィルタを、広帯域フィルタとするか狭帯域フィルタとするかを決定して中間周波フィルタ部２４へ指令すると共に、局部発振回路部２９に指定する同調周波数を通常の指定チャネルの同調周波数からシフトさせるシフト量ＤＦを算出し、シフト量ＤＦだけシフトさせた同調周波数の出力を指令する制御部３８と、（iii）制御部３８から指定された時間が経過すると、制御部３８に通知するタイマ部４０と、を備えている。ここで、中間周波フィルタ２４は図１０の中間周波フィルタ１４と同様であり、図５の信号ａ３、ｂ３及びｃ３と、図１０の信号ａ、ｂ及びｃとがそれぞれ対応している。また、制御部３８は、信号ｃ３として、通常ネガティブ信号を出力している。
【００３５】
上述のように構成されたラジオ受信機３０の隣接妨害波を考慮した受信方法について説明する。第１の実施形態と同様に、まず、ラジオ受信機３０の利用者が、指定チャネルを受信するための操作を行うと、制御部３８に対して、指定チャネルを受信する旨が指令される。指令を受けた制御部３８は、受信条件設定処理Ｓ３０（図６参照）を開始する。
【００３６】
受信条件設定処理Ｓ３０では、図６に示されるように、まず、第１の実施形態と同様にステップＳ３１のミュート設定指令を行い、ステップＳ３２において、低域隣接局チャネルを受信するための同調周波数の出力を指令する。低域隣接局チャネルの信号は、図５のアンテナ２１で受信され、高周波増幅部２２、ミキサ部２３、中間周波フィルタ部２４及び中間周波増幅部２５を介して、信号レベル測定部３７に到達する。
【００３７】
信号レベル測定部３７は、低域隣接局チャネルの信号の信号レベルを測定し、測定結果は、図６のステップＳ３３において、制御部３８により、低域信号レベル値ＬＳとして取得される。引き続き、ステップＳ３４及びステップＳ３５において、同様の処理を高域隣接局について行い、制御部３８は、高域信号レベル値ＨＳを取得する。
【００３８】
次に、ステップＳ３６において、制御部３８は、低域信号レベル値ＬＳと高域信号レベル値ＨＳの和が、所定信号レベルＳ０より大きいかどうかを判定する。ここで、肯定的な判定がされた場合には、ステップＳ３８において、信号ｃ３として、狭帯域フィルタを選択するアクティブ信号を、中間周波フィルタ部２４に対して出力する。また、否定的な判定がされた場合には、ステップＳ３７において、信号ｃ３として、広帯域フィルタを選択するネガティブ信号を、中間周波フィルタ部２４に対して出力する。ここで、所定信号レベルＳ０は、低域隣接局チャネルと高域隣接局チャネルが存在する場合の妨害信号の大きさから経験的に定められる値である。中間周波フィルタ部３４のフィルタ切替回路５３は、図１０に示されるように、アクティブ信号である信号ｃを受信した場合には、狭帯域フィルタ５２が使用されるように切替え、ネガティブ信号である信号ｃを受信した場合には、そのまま広帯域フィルタ５１が使用される設定となる。
【００３９】
引き続き、ステップＳ３９では、高域信号レベル値ＨＳと低域信号レベル値ＬＳの差に、係数Ｃを掛けて同調周波数のシフト量ＤＦを算出する。ステップＳ４０に移行し、指定チャネルの通常の同調周波数に、ステップＳ３９で算出されたシフト量ＤＦを加算した同調周波数の出力を、局部発振回路部２９に対して指令する。引き続き、ステップＳ４１において、音声復調部１６に対し、ミュート解除の指令を行う。これにより、ラジオ受信機３０は、指定チャネルの受信を開始し、スピーカから音声が出力される。ここで、係数Ｃは、低域隣接局チャネルと高域隣接局チャネルが存在する場合の妨害信号の分布から経験的に定められる値である。
【００４０】
最後に、ステップＳ４２において、タイマ部４０に対して、所定時間のタイマ開始を指令して、受信条件設定処理Ｓ３０を終了する。タイマ部４０は設定された所定時間が経過すると、制御部３８に対して所定時間経過の通知を行い、その通知を受けた制御部２８は、再び、受信条件設定処理Ｓ３０を開始する。同様にして、受信条件設定処理Ｓ３０は、この放送チャネルの受信が継続する間繰り返され、受信する環境が変化した場合には、中間周波フィルタ部２４又は局部発振回路部２９の設定が変更される。
【００４１】
図７には、ラジオ受信機３０における指定チャネルの受信において、高い信号レベルの高域隣接局と低い信号レベルの低域隣接局とがある場合の、指定チャネルの周波数付近における信号レベルを示すグラフが示されている。ここで、図３と同様に、斜線部分は、狭帯域フィルタＮＦにおいて信号が通過できる範囲を表しており、網掛け部分は、指定チャネルスペクトルＤＣｈＳを表している。また、「Ｆ０＋ＦＣｈ」及び「Ｆ０−ＦＣｈ」はそれぞれ高域隣接局及び低域隣接局の中心放送周波数を表している。高域隣接局及び低域隣接局のスペクトルはそれぞれＡＣｈＳ２及びＡＣｈＳ３で表されている。
【００４２】
この場合には、高域信号レベル値ＨＳと低域信号レベル値ＬＳとの和は所定信号レベルＳ０より大きいため、ステップＳ３６において、肯定的な判定がされ狭帯域フィルタが選択されている。また、高域信号レベル値ＨＳの方が、低域信号レベル値ＬＳより高いため、ステップＳ３９において、シフト量ＤＦがマイナスで算出され、指定チャネルの通常の同調周波数よりシフト量ＤＦだけ低い同調周波数で受信され、中間周波フィルタも周波数の低い側にシフトされているため、効率よく指定チャネルの信号を取得できる。
【００４３】
以上説明したように、第２の実施形態のラジオ受信機３０は、指定チャネルの受信を指令された場合に、制御部３８が低域隣接局のチャネルの受信を指令し、低域信号レベル値ＬＳを取得する。引き続き、高域隣接局のチャネルの受信を指令し、高域信号レベル値ＨＳを取得する。低域信号レベル値ＬＳと高域信号レベル値ＨＳの和が所定信号レベルＳ０より大きい場合には、狭帯域フィルタを選択する指令をし、所定信号レベルＳ０以下の場合には、広帯域フィルタを選択する指令をする。次に、高域信号レベル値ＨＳと低域信号レベル値ＬＳとの差からシフト量ＤＦを算出し、指定チャネルの周波数に、算出されたシフト量ＤＦを加えた周波数での受信を指令する。
【００４４】
したがって、第２の実施形態によれば、第１の実施形態と同様の効果を得ることができる。
【００４５】
更に、第２の実施形態によれば、制御部２８は、局部発振回路部２９に対して、妨害電波等がより少ない側へシフトする設定を行っているため、妨害信号の除去による効率的な受信を実現することができる。
【００４６】
また、第２の実施形態によれば、タイマ部４０からの通知により、制御部３８が、定期的に受信条件設定処理Ｓ３０を行うことにより、受信場所の移動により隣接する放送チャネルが増加した場合等の受信環境の変化にも、適宜対応することができる。
【００４７】
なお、上記実施形態においては、帯域幅可変フィルタ手段として、２種類の異なる帯域幅のフィルタを備えることとしたが、３種類以上の異なる帯域幅のフィルタを備えることとしてもよいし、帯域幅を変更することのできる１つのフィルタを備えることとしてもよい。
【００４８】
また、上記実施形態においては、信号検出手段は信号レベルを検出することとしたが、信号レベル以外を検知するセンサにより、信号を検出することとしてもよい。
【００４９】
また、上記実施形態においては、信号検出手段は、制御部２８又は３８とは別の信号レベル検出部２７又は信号レベル測定部３７としたが、制御部２８又は３８に含まれることとしてもよい。
【００５０】
また、上記実施形態においては、制御部は、帯域幅可変フィルタ手段としての中間周波フィルタ部に対して条件設定を行うこととしたが、これを行わずに、局部発振回路部に対する同調周波数シフトの条件設定のみでもよいし、その他の条件設定を行うこととしてもよい。
【００５１】
また、第１の実施形態のラジオ受信機２０においては、第２の実施形態のタイマ部４０の機能を備えないこととしたが、タイマ部４０と同様のタイマ部を用い、周期的にフィルタ選択処理Ｓ２０を実行することとしてもよい。
【００５２】
また、上記何れの実施形態においても、図２のステップＳ２１及びＳ２９と図６のステップＳ３１及びＳ４１を設けて、フィルタ選択の際のノイズ混入を防止するためにミュートをかけた例を示したが、これに限るものでなく、高速処理を行なうことでノイズの影響を低減できるのであれば、ミュートを省略するようにしてもよい。
【００５３】
また、上記実施形態においてはラジオ受信機としたが、その他の無線受信装置であってもよいし、有線による信号を受信する受信装置であってもよい。
【産業上の利用可能性】
【００５４】
以上説明したように本発明の受信装置、受信方法及びプログラムは、受信装置に適用することができる。
【図面の簡単な説明】
【００５５】
【図１】本発明の一実施形態であるラジオ受信機２０の構成を示す図である。
【図２】図１の制御部２８のフィルタ選択処理Ｓ２０のフローチャートを示す図である。
【図３】図２のフィルタ選択処理において、隣接局が無いと判定された場合の指定チャネル周波数付近における信号レベルとフィルタ通過範囲を示すグラフである。
【図４】図２のフィルタ選択処理において、隣接局が有ると判定された場合の指定チャネルの周波数付近における信号レベルとフィルタ通過範囲を示すグラフである。
【図５】本発明の一実施形態であるラジオ受信機３０の構成を示す図である。
【図６】図５の制御部３８の受信条件設定処理Ｓ３０のフローチャートを示す図である。
【図７】図６の受信条件設定処理Ｓ３０において、隣接局が存在する場合の指定チャネル周波数付近における信号レベルとフィルタ通過範囲を示すグラフである。
【図８】従来技術のラジオ受信機１０の構成を示す図である。
【図９】図８の隣接妨害検出回路１７の構成を示す図である。
【図１０】図８の中間周波フィルタ部１４の構成を示す図である。
【符号の説明】
【００５６】
１０，２０，３０…ラジオ受信機（受信装置）、１１，２１，３１…アンテナ、１２，２２，３２…高周波増幅部、１３，２３，３３…ミキサ部，１４，２４，３４…中間周波フィルタ部（帯域幅可変フィルタ手段）、１５，２５，３５…中間周波増幅部、１６，２６，３６…音声復調部、１７…隣接妨害検出回路、２７…信号レベル検出部（信号検出手段）、２８，３８…制御部（隣接チャネル受信指令手段、受信チャネル条件設定手段）、２９，３９…局部発振回路部，３７…信号レベル測定部（信号検出手段）。
【図１】
2006303795.tif 000003
【図２】
2006303795.tif 000004
【図３】
2006303795.tif 000005
【図４】
2006303795.tif 000006
【図５】
2006303795.tif 000007
【図６】
2006303795.tif 000008
【図７】
2006303795.tif 000009
【図８】
2006303795.tif 000010
【図９】
2006303795.tif 000011
【図１０】
2006303795.tif 000012